(57)【要約】【課題】複数の利用者に異なる情報を同時に提示すると共に、利便性を向上させることが可能な表示装置を提供する。【解決手段】表示装置１は、第１プロジェクタ２０によって第１の情報を有する光をスクリーン３０に投射する。また、第２プロジェクタ４０によって第２の情報を有する光をスクリーン３０に投射する。スクリーン３０には、第１の情報を有する光と第２の情報を有する光との合成された像が投影されて第３の情報として利用者Ｈ２に認識される。また、色眼鏡５０は第１の情報を有する光のみを透過するため、色眼鏡５０を用いた利用者Ｈ１がスクリーン３０を視認すると第１の情報のみが認識されることとなる。【選択図】図１
2007163674.tif 000002
【特許請求の範囲】
【請求項１】
第１の情報を有する光を投射する第１投射手段と、
前記第１投射手段からの光が投影されるスクリーンと、
前記スクリーンのうち前記第１投射手段からの光が投影される箇所に、第２の情報を有する光を投射することにより利用者に第３の情報を視認させる第２投射手段と、
前記第１投射手段からの光と前記第２投射手段からの光とが投影される箇所からの光のうち、前記第２の情報を有する光を遮断することにより利用者に第１の情報を視認させる可視手段と、
を備えることを特徴とする表示装置。
【請求項２】
前記第３の情報は間接照明として利用されることを特徴とする請求項１に記載の表示装置。
【請求項３】
前記スクリーンは、室内天井面に貼り付けられ、または室内天井自体となっていることを特徴とする請求項１または請求項２のいずれかに記載の表示装置。
【請求項４】
前記スクリーンは、投影された光を透過して利用者に情報を視認させる構成であり、
前記第１投射手段および前記第２投射手段は、室外空間に設置され、室外空間からスクリーンに光を投射して室内の利用者に情報を視認させる
ことを特徴とする請求項１〜請求項３のいずれか１項に記載の表示装置。
【請求項５】
前記第１投射手段は、第１の情報を有する光を第１の色の光として投射し、
前記第２投射手段は、第２の情報を有する光を第２の色の光として投射し、
前記可視手段は、前記第１の色の光のみを透過する色眼鏡である
ことを特徴とする請求項１〜請求項４のいずれか１項に記載の表示装置。
【請求項６】
前記第１投射手段は、第１の偏光成分のみで第１の情報を有する光を投射し、
前記第２投射手段は、第２の偏光成分のみで第２の情報を有する光を投射し、
前記スクリーンは、光反射層が偏光を保つ正反射タイプの反射面を有するものであり、
前記可視手段は、第１の偏光成分のみの光を透過する偏光フィルタをレンズ部に備える偏光眼鏡である
ことを特徴とする請求項１〜請求項４のいずれか１項に記載の表示装置。
【請求項７】
前記第１投射手段は、右回りまたは左回りの円偏光成分を前記第１の偏光成分として光を投射し、
前記第２投射手段は、前記第１投射手段が投射する光と逆回りの円偏光成分を前記第２の偏光成分として光を投射する
ことを特徴とする請求項６に記載の表示装置。
【請求項８】
第１の情報を有する光を投射する第１投射手段と、
第２の情報を有する光を投射する第２投射手段と、
前記第１投射手段および前記第２投射手段からの光が投影されるスクリーンと、
前記スクリーンのうち前記第１投射手段からの光および前記第２投射手段からの光が投影される箇所に、第３の情報を有する光を投射することにより利用者に第４の情報を視認させる第３投射手段と、
前記第１投射手段、前記第２投射手段および第３投射手段からの光が投影される箇所からの光のうち、前記第２の情報を有する光および第３の情報を有する光を遮断することにより利用者に第１の情報を視認させる第１可視手段と、
前記第１投射手段、前記第２投射手段および第３投射手段からの光が投影される箇所からの光のうち、前記第１の情報を有する光および第３の情報を有する光を遮断することにより利用者に第２の情報を視認させる第２可視手段と、
を備えることを特徴とする表示装置。
【発明の詳細な説明】
【技術分野】
【０００１】
本発明は、表示装置に関する。
【背景技術】
【０００２】
従来、複数の観察者に対し異なる情報を同時に提示する表示装置が知られている。この表示装置によれば、一方の画像と他方の画像とを時分割に表示し、一方の観察者には一方の画像を遮断する眼鏡を着用させ、他方の観察者には他方の画像を遮断する眼鏡を着用させることで、複数の観察者に異なる情報を同時に提示するようにしている。また、この表示装置では、視点位置に応じて異なる情報を視認可能に構成することにより、複数の観察者に異なる情報を同時に提示できるようにもしている（例えば特許文献１参照）。
【特許文献１】特開平９−１０５９０９号公報（第４図，第８〜１１図）
【発明の開示】
【発明が解決しようとする課題】
【０００３】
しかし、従来の表示装置では、観察者の各人が眼鏡を着用したり、特定の位置から情報を視認するようにしたりしなければならず、利便性の面で向上の余地を残すものであった。
【０００４】
本発明は、上述した実情に鑑みて提案されたものであり、複数の利用者に異なる情報を同時に提示すると共に、利便性を向上させることが可能な表示装置を提供することを目的とする。
【課題を解決するための手段】
【０００５】
本発明の表示装置は、第１投射手段と、スクリーンと、第２投射手段と、可視手段とを備えている。第１投射手段は第１の情報を有する光を投射するものであり、スクリーンは第１投射手段からの光が投影されるものである。第２投射手段は、スクリーンのうち第１投射手段からの光が投影される箇所に、第２の情報を有する光を投射することにより利用者に第３の情報を視認させるものである。可視手段は、第１投射手段からの光と第２投射手段からの光とが投影される箇所からの光のうち、第２の情報を有する光を遮断することにより利用者に第１の情報を視認させるものである。
【発明の効果】
【０００６】
本発明によれば、第１の情報を有する光と第２の情報を有する光とをスクリーンに投射するため、スクリーンには第１の情報を有する光と第２の情報を有する光との合成光が投影されることとなり、この合成光によって、スクリーンを視認した利用者には第３の情報が認識されることとなる。さらに、スクリーンからの光のうち第２の情報を有する光を遮断する可視手段を備えるため、可視手段を通してスクリーンを視認した利用者には第１の情報が認識されることとなる。このように、可視手段を通して視認するか否かによって各利用者に異なる情報を同時に提供することができる。
【０００７】
しかも、第３の情報を視認したい場合、利用者は可視手段を通すことなく、スクリーンを視認すればよい。すなわち、第３の情報を視認したい利用者は可視手段を用いず例えば裸眼によってスクリーンを視認すればよいこととなり、眼鏡等の着用が不要となるため、利便性の向上を図ることができる。さらに、一方の利用者は可視手段を通してスクリーンを視認し、他方の利用者は可視手段を通すことなくスクリーンを視認すればよいだけであるため、視点位置が限定されることがない。
【０００８】
従って、複数の利用者に異なる情報を同時に提示すると共に、利便性を向上させることができる。
【発明を実施するための最良の形態】
【０００９】
以下、本発明の実施の形態について図面を参照して説明する。
【００１０】
図１は、本発明の第１実施形態に係る表示装置の構成図である。図１に示すように、表示装置１は、利用者に各種情報を提供するものであって、映像ソース部１０と、第１プロジェクタ（第１投射手段）２０と、スクリーン３０と、第２プロジェクタ（第２投射手段）４０と、色眼鏡（可視手段）５０とを備えている。
【００１１】
第１プロジェクタ２０は第１の情報を有する光を投射するものであり、スクリーン３０は第１プロジェクタ２０からの光が投影されるものである。第２プロジェクタ４０は、スクリーン３０のうち第１プロジェクタ２０からの光が投影される箇所に、第２の情報を有する光を投射することにより利用者Ｈ２に第３の情報を視認させるものである。色眼鏡５０は、第１プロジェクタ２０からの光と第２プロジェクタ４０からの光とが投影される箇所からの光（反射光）のうち、第２の情報を有する光を遮断することにより利用者Ｈ１に第１の情報を視認させるものである。以下、映像ソース部１０および色眼鏡５０について詳細に説明する。
【００１２】
映像ソース部１０は、スクリーン３０に映し出すべき画像や映像の情報を格納等しておく部分であり、映像データ部１１と、投射光生成部１２とを備えている。映像データ部１１は、スクリーン３０に映し出すべき画像や映像のデータを格納しておくものである。なお、映像ソース部１０は、映像データ部１１のように予め画像や映像のデータを格納しておくものでなくともよく、例えばＤＶＤ（Ｄｉｇｉｔａｌ  Ｖｅｒｓａｔｉｌｅ  Ｄｉｓｋ）などの外部記録媒体からの情報を読み取る装置などであってもよい。
【００１３】
投射光生成部１２は、映像データ部１１からの情報に従って、第１プロジェクタ２０および第２プロジェクタ４０に投射させる投射光を生成するものである。ここで、投射光生成部１２は、第１プロジェクタ２０により第１の情報を有する光を投射させるように投射光を生成し、第２プロジェクタ４０により第２の情報を有する光を投射させるように投射光を生成する。また、投射光生成部１２は、第１の情報を有する光と第２の情報を有する光とがスクリーン３０に投影されることによって利用者Ｈ２が第３の情報を視認できるように、第１プロジェクタ２０および第２プロジェクタ４０に投射させる投射光を生成する。
【００１４】
詳しく説明すると、投射光生成部１２は補完化処理部１２ａを有している。この補完化処理部１２ａは、第１の情報を有する光がどのような光であるかを検出し、利用者Ｈ２に視認させる第３の情報が得られるように、第１の情報を有する光をもとに第２の情報を有する光を生成するものである。
【００１５】
例えば投射光生成部１２が第１の情報を有する光を青色（第１の色）の光として生成し、且つ、利用者Ｈ２には第３の情報としてシアン色の光を認識させたいとする。このとき、補完化処理部１２ａは、第１の色の光が青色の光であることから、第３の情報としてのシアン色が得られるように、第２の情報を有する光を緑色（第２の色）の光として生成する。このように、投射光生成部１２の補完化処理部１２ａは、第１の情報を有する光との関係から、第２の情報を有する光を生成する構成となっている。なお、上記では、青、緑およびシアン色を例に説明したが、第１〜第３の情報はこれに限られるものではない。
【００１６】
また、投射光生成部１２は、第１補正部１２ｂと第２補正部１２ｃとを備えている。第１プロジェクタ２０および第２プロジェクタ４０からの光をスクリーン３０に対して斜め方向から投射する場合、スクリーン３０には歪んだ画像・映像が表示されることとなってしまう。第１補正部１２ｂと第２補正部１２ｃとは、この歪みを解消するように投射光を補正するようになっている。
【００１７】
色眼鏡５０は、第１プロジェクタ２０からの光と第２プロジェクタ４０からの光とが投影される箇所から反射される光のうち、第２の情報を有する光を遮断することにより利用者Ｈ１に第１の情報のみを視認させるものである。すなわち、上記の例によると、スクリーン３０にはシアン色が表示されているが、色眼鏡５０を通してスクリーン３０を視認することにより、緑色の光が遮断され、青色の光のみが利用者Ｈ１に視認されることとなる。
【００１８】
なお、上記実施形態では、青、緑およびシアン色の例を挙げているが、各種の色を用いてもよいし、これを利用して第１および第３の情報を文字や絵として利用者Ｈ１，Ｈ２に視認させるようにしてもよい。これにより、例えば、フランス映画などを上映しつつ、色眼鏡５０を装着した利用者Ｈ１には英語字幕を提供し、裸眼の利用者Ｈ２には日本語字幕を提供することなどができる。
【００１９】
また、表示装置１を室内で用いる場合、第３の情報を白色光などにして利用者Ｈ２には間接照明として認識させるようにし、色眼鏡５０を着用した利用者Ｈ１のみに第１の情報である文字や絵などを視認させるように構成してもよい。この場合、第３の情報が白色光となるものの色むらが生じる可能性がある。このため、色むらが生じないように第１補正部１２ｂおよび第２補正部１２ｃは色むら防止の補正を行うことが望ましい。
【００２０】
さらに、表示装置１を室内で用いる場合、第３の情報を木目調や壁紙などの模様として表現して利用者Ｈ２に認識させるようにし、色眼鏡５０を着用した利用者Ｈ１のみに第１の情報である文字や絵などを視認させるように構成してもよい。
【００２１】
図２は、本実施形態に係る情報表示の一例を示す図である。色眼鏡５０を通さずスクリーン３０を視認する利用者Ｈ２には、例えば図２に示すように白色光の情報として認識させて、第３の情報を間接照明として利用するようにする。このとき、図２に示すように、色眼鏡５０を通してスクリーン３０を視認する利用者Ｈ１には、星型などの絵や文字などを認識させる。
【００２２】
図３は、本実施形態に係る色眼鏡５０による光の遮断の様子を示す図であり、（ａ）は遮断前の光のスペクトルを示し、（ｂ）は遮断後の光のスペクトルを示している。例えば第１プロジェクタ２０は、第１の情報を有する光として、図３（ａ）に示すＲ１，Ｇ１，Ｂ１の光を投射する。また、第２プロジェクタ４０は、第２の情報を有する光として、例えば図３（ａ）に示すＲ２，Ｇ２，Ｂ２の光を投射する。これにより、第１プロジェクタ２０と第２プロジェクタ４０とから単色でない光を投射し、多彩な情報表示を行うこととする。そして、利用者Ｈ２には、スクリーン３０に投射されるＲ１，Ｇ１，Ｂ１，Ｒ２，Ｇ２，Ｂ２の光によって表現される第３の情報を提供することとなる。
【００２３】
一方、利用者Ｈ１には、図３（ｂ）に示すように、色眼鏡５０によって第２プロジェクタ４０からのＲ２，Ｇ２，Ｂ２の光が遮断されるため、Ｒ１，Ｇ１，Ｂ１の光によって表現される第１の情報を視認させる。
【００２４】
これにより、本実施形態に係る表示装置１では、各利用者Ｈ１，Ｈ２に異なる情報を同時に提供することとしている。しかも、一方の利用者Ｈ２については色眼鏡５０を着用することなく、スクリーン３０を裸眼で視認すれば、第３の情報を認識することができる。このため、一方の利用者Ｈ２について色眼鏡５０の着用が不要となり、利便性の向上が図られている。さらに、この表示装置１では、情報を認識するために視点位置が限定されることがない。
【００２５】
図４は、本実施形態に係る表示装置１の使用状態を示す図である。本実施形態に係る表示装置１を室内において用いた場合、例えば図４に示すような配置とするとよい。図４に示す例では、室内の天井自体がスクリーン３０として構成されている。また、第１プロジェクタ２０および第２プロジェクタ４０がそれぞれ２つずつあり、プロジェクタ２０，４０が室内の四隅に各１つずつ備え付けられている。また、映像ソース部１０は、床面に設置されている。なお、図４に示す例において、スクリーン３０を天井自体とせず、天井面に貼り付けるようにしてもよい。
【００２６】
図５は、本実施形態に係る表示装置１の第２の使用状態を示す図である。本実施形態に係る表示装置１を室内において用いた場合、図５に示すように配置することが望ましい。図５に示すように、第１プロジェクタ２０および第２プロジェクタ４０がそれぞれ２つずつ天井裏に設置されている。また、映像ソース部１０についても天井裏に設置されている。さらに、図５に示す例において、スクリーン３０は、投影された光を透過して室内に居る利用者に情報を視認させる透過型スクリーンである。このように構成すると、映像ソース部１０やプロジェクタ２０，４０が室外に設置されるため、室内景観を損なうことなく、表示装置１を設置することができる。なお、図５に示す例では、映像ソース部１０等を天井裏に設置したが、これに限らず、室外に設置するようにすれば他の箇所に設置してもよい。
【００２７】
ここで、図４および図５に示す例では、４つのプロジェクタ２０，４０を設置することとしているが、プロジェクタ２０，４０の台数は４つに限るものではない。また、設置個所についても四隅に限られるものではない。
【００２８】
次に、本実施形態に係る表示装置１の動作の一例を説明する。図６は、本実施形態に係る表示装置１の動作の一例を示すフローチャートである。同図に示すように、投射光生成部１２は、まず、映像ソース部１０から第１の情報を読み込む（ＳＴ１）。次に、投射光生成部１２は、第１の情報を有する投射光を生成する（ＳＴ２）。次いで、投射光生成部１２は、映像ソース部１０から第３の情報を読み込む（ＳＴ３）。次に、投射光生成部１２の補完化処理部１２ａは補完化処理を行う（ＳＴ４）。すなわち、補完化処理部１２ａは、色眼鏡５０を用いない利用者Ｈ２によって第３の情報が視認できるように、第１の情報をもとに第２の情報を有する投射光を生成する。
【００２９】
これらによって、第１プロジェクタ２０からは第１の情報を有する光が投射され、第２プロジェクタ４０からは第２の情報を有する光が投射され、スクリーン３０には第１の情報を有する光と第２の情報を有する光と合成されて第３の情報として投影されることとなる。色眼鏡５０は、この合成された光のうち、第１の情報を有する光のみを透過する。このため、色眼鏡５０を用いた利用者Ｈ１にとっては、第３の情報としてでなく、第１の情報として視認されることとなる。
【００３０】
その後、映像ソース部１０は、電源がオフされたか否かを判断する（ＳＴ５）。電源がオフされていないと判断した場合（ＳＴ５：ＮＯ）、処理はステップＳＴ１に移行する。一方、電源がオフされていないと判断した場合（ＳＴ５：ＮＯ）、処理は終了することとなる。
【００３１】
このようにして、第１実施形態に係る表示装置１によれば、第１の情報を有する光と第２の情報を有する光とをスクリーン３０に投射するため、スクリーン３０には第１の情報を有する光と第２の情報を有する光との合成光が投影されることとなり、この合成光によって、スクリーン３０を視認した利用者Ｈ２には第３の情報が認識されることとなる。さらに、スクリーン３０からの光（反射光又は透過光）のうち第２の情報を有する光を遮断する色眼鏡５０を備えるため、色眼鏡５０を通してスクリーン３０を視認した利用者Ｈ１には第１の情報が認識されることとなる。このように、色眼鏡５０を通して視認するか否かによって各利用者Ｈ１，Ｈ２に異なる情報を同時に提供することができる。
【００３２】
しかも、第３の情報を視認したい場合、利用者Ｈ２は色眼鏡５０を通すことなく、スクリーン３０を視認すればよい。すなわち、第３の情報を視認したい利用者Ｈ２は色眼鏡５０を用いずにスクリーン３０を視認すればよいこととなり、眼鏡等の着用が不要となるため、利便性の向上を図ることができる。さらに、一方の利用者Ｈ１は色眼鏡５０を通してスクリーンを視認し、他方の利用者Ｈ２は色眼鏡５０を通すことなくスクリーン３０を視認すればよいだけであるため、視点位置が限定されることがない。
【００３３】
従って、複数の利用者に異なる情報を同時に提示すると共に、利便性を向上させることができる。
【００３４】
また、第３の情報は間接照明として利用されるため、一方の利用者Ｈ２には通常の照明とし、他方の利用者Ｈ１には映像等を提供できることとなり、室内環境に適した表示装置１を提供することができる。
【００３５】
また、スクリーン３０は、室内天井面に貼り付けられ、または室内天井自体となっているため、室内において邪魔になり難い箇所にスクリーン３０が存在することとなり、室内環境を損なわないようにすることができる。特に、第３の情報が間接照明として利用される場合には、天井から室内のほぼ全体を照らせるため、天井に設けられる既存の室内照明を省略することができ、しかも既存の室内照明を省略できることから照明器具が邪魔にならず天井全体をスクリーンとして有効利用することができる。
【００３６】
また、スクリーン３０は、投影された光を透過して利用者に情報を視認させる透過型スクリーンであり、プロジェクタ２０，４０は、室外空間に設置され、室外空間からスクリーンに光を投射して室内の利用者に情報を視認させる。このため、室内景観を損なうことなく表示装置１を設置することができる。
【００３７】
また、第１プロジェクタ２０は第１の情報を有する光を第１の色の光として投射し、第２プロジェクタ４０は第２の情報を有する光を第２の色の光として投射し、可視手段として第１の色の光のみを透過する色眼鏡５０を用いている。このため、色眼鏡５０（例えばサングラスなど）という比較的入手が容易なものを利用者Ｈ１に使用させることとなり、より一層利便性を向上させることができる。
【００３８】
次に、本発明の第２実施形態を説明する。第２実施形態に係る表示装置は第１実施形態のものとほぼ同様であるが、投射光、スクリーン３０および可視手段が第１実施形態のものと異なっている。以下、第１実施形態との相違点を図１を参照して説明する。
【００３９】
まず、第１実施形態において、第１プロジェクタ２０は第１の情報を有する光を第１の色の光として投射し、第２プロジェクタ４０は第２の情報を有する光を第２の色の光として投射していた。これに対し、第２実施形態において、第１プロジェクタ２０は、第１の偏光成分のみで第１の情報を有する光を投射する。また、第２プロジェクタ４０は、第２の偏光成分（望ましくは第１の偏光成分と直交する成分）のみで第２の情報を有する光を投射する。
【００４０】
また、第１実施形態においてスクリーン３０は単に光を反射又は透過させるものであったが、第２実施形態のスクリーン３０は光反射層が偏光を保つ正反射タイプの反射面を有するもの（いわゆる偏光対応のシルバースクリーン）が用いられる。
【００４１】
さらに、第１実施形態では色眼鏡５０を用いていたが第２実施形態では色眼鏡５０を用いず偏光眼鏡（可視手段）６０を用いる。偏光眼鏡６０は、第１の偏光成分のみの光を透過する偏光フィルタをレンズ部に備える眼鏡である。
【００４２】
このように構成されるため、スクリーン３０には、第１の偏光成分のみの光と第２の偏光成分のみの光が投影され、第３の情報が偏光眼鏡６０を着用しない利用者Ｈ２に認識される。また、スクリーン３０は偏光を保つ正反射タイプのものであるから、第１の偏光成分の光と第２の偏光成分の光は、偏光が乱されることなくスクリーン３０によって反射される。このため、偏光眼鏡６０を着用した利用者Ｈ１には、第２の偏光成分の光が遮断され、第１の偏光成分のみの光が視認されることとなり、第１の情報のみが認識されることとなる。
【００４３】
なお、偏光は円偏光であることが望ましい。直線偏光である場合、偏光眼鏡６０を着用した利用者Ｈ１の顔の向きによっては第２の偏光成分のみの光が視認されることとなってしまうためである。例えば図４に示す例において、利用者Ｈ１が頭部の向きを変えて他方の利用者Ｈ２の方へ頭部を向けると（すなわち室内の奥行き方向に頭部を向けると）、利用者Ｈ１には第２の偏光成分のみの光が視認されることとなってしまう。
【００４４】
このため、第１プロジェクタ２０は、右回りまたは左回りの円偏光成分を第１の偏光成分として光を投射し、第２プロジェクタ４０は、第１プロジェクタ２０が投射する光と逆回りの円偏光成分を第２の偏光成分として光を投射することが望ましい。これにより、偏光眼鏡６０を着用している利用者Ｈ１の顔の向きによる影響を受けにくくなるためである。
【００４５】
このようにして、第２実施形態に係る表示装置２によれば、第１実施形態と同様に、複数の利用者に異なる情報を同時に提示すると共に、利便性を向上させることができ、室内環境に適した表示装置１を提供することができる。また、室内環境を損なわないようにすることができ、既存の室内照明を省略することができる。また、室内景観を損なうことなく表示装置１を設置することができる。
【００４６】
さらに、第２実施形態によれば、第１の偏光成分のみで第１の情報を有する光を投射し、第２の偏光成分のみで第２の情報を有する光を投射し、スクリーン３０は光反射層が偏光を保つ正反射タイプの反射面を有するものであり、第１の偏光成分のみの光を透過する偏光フィルタをレンズ部に備える偏光眼鏡６０を用いる。これにより、第１実施形態のようにプロジェクタ２０，４０からの光を色によって区別する必要がなく、両プロジェクタ２０，４０から投射する光の色の自由度を高めることができる。
【００４７】
また、第１プロジェクタ２０は、右回りまたは左回りの円偏光成分を第１の偏光成分として光を投射し、第２プロジェクタ４０は、第１プロジェクタ２０が投射する光と逆回りの円偏光成分を第２の偏光成分として光を投射する。このため、偏光眼鏡６０を着用している利用者Ｈ１の顔の向きによる影響を受け難くすることができる。
【００４８】
以上、実施形態に基づき本発明を説明したが、本発明は上記実施形態に限られるものではなく、本発明の趣旨を逸脱しない範囲で、変更を加えてもよいし、各実施形態を組み合わせるようにしてもよい。
【００４９】
例えば、本実施形態では、第１プロジェクタ２０と第２プロジェクタ４０との２種類の投射手段によって表示装置１，２を実現しているが、３種の投射手段によって表示装置１，２を構成してもよい。
【００５０】
この場合、表示装置１，２は、第１〜第３投射手段と、スクリーンと、第１可視手段と、第２可視手段とを有することとなる。そして、第１投射手段は第１の情報を有する光を投射し、第２投射手段は第２の情報を有する光を投射する。スクリーンは、第１投射手段および第２投射手段からの光が投影される。
【００５１】
さらに、第３投射手段は、スクリーンのうち第１投射手段からの光および第２投射手段からの光が投影される箇所に、第３の情報を有する光を投射することにより利用者に第４の情報を視認させる構成となる。また、第１可視手段は、第１投射手段、第２投射手段および第３投射手段からの光が投影される箇所からの光（反射光又は透過光）のうち、第２の情報を有する光および第３の情報を有する光を遮断することにより利用者に第１の情報を視認させ、第２可視手段は、同箇所からの光（反射光又は透過光）のうち、第１の情報を有する光および第３の情報を有する光を遮断することにより利用者に第２の情報を視認させることとなる。
【００５２】
このように構成することにより、上記実施形態と同様に複数の利用者に異なる情報を同時に提示すると共に、利便性を向上させることができる。さらには、利用者に同時に提供する情報数を増やすことができる。
【００５３】
また、本実施形態では光の投射手段として、第１プロジェクタ２０と第２プロジェクタ４０とを用いたが、これに限らず、例えばＬＥＤ（Ｌｉｇｈｔ  Ｅｍｉｔｔｉｎｇ  Ｄｉｏｄｅ）パネルや、広角のスポットライトにフィルターを装着したものなどを用いるようにしてもよい。
【００５４】
また、本実施形態において第１補正部１２ｂおよび第２補正部１２ｃは、スクリーン３０に対して斜め方向から光を投射する場合に画像歪みを補正する構成となっているが、これに加えて、例えば第３の情報を間接照明として利用する場合、天井面を均一に照らせるように明るさの補正を行ってもよい。すなわち、各プロジェクタ２０，４０からの光が重なる箇所のみが明るくなり過ぎてしまうことを防止するため、各補正部１２ｂ，１２ｃは光が重ならない箇所について投射光の光量を高めるように補正する。なお、光の投射手段がプロジェクタ２０，４０である場合には、映像データ部１１のデータを加工することによって投射光の光量を補正することができる。また、光の投射手段がＬＥＤパネルである場合は発光パターンで光量を補正し、スポットライトにフィルターを装着したものの場合、フィルターに光量の調整加工を施しておくことで光量を補正することができる。
【００５５】
また、本実施形態において補完化処理部１２ａは、映像データ部１１から第１の情報を入力して第３の情報が得られるように第２の情報を有する投射光を生成しているが、第１の情報を映像データ部１１から入力せず例えば以下のように構成してもよい。すなわち、表示装置１，２は、カメラ等の撮像素子をさらに備え、第１プロジェクタ２０により第１の情報を有する光を投射し、スクリーン３０に投影される像を撮像素子により撮像し、得られた撮像データを補完化処理部１２ａに提供するようにしてもよい。これによっても、補完化処理部１２ａは、第２の情報を有する光を適切に生成することができるだけでなく、第１の情報を有する光に色むらが生じるような場合であっても、その色むらを消すように第２の情報を有する光を生成することができる。また、補完化処理部１２ａは、第１の情報が映画などの予め撮影されたものである場合、事前に第２の情報を有する投射光を生成しておくこともできる。
【００５６】
さらに、本実施形態に係る表示装置１，２において、緊急時（地震時や建築物の火災時など）には第２の情報を有する投射光の投射を中止し、第１の情報を有する光により緊急時の情報をスクリーン３０に投影させるようにしてもよい。
【００５７】
さらには、本実施形態に係る表示装置１，２では、色眼鏡５０や偏光眼鏡６０のように眼鏡を可視手段として用いているが、これ限らず、例えば単なる着色ガラスや偏光板などの板状の素材を用いるようにしてもよい。特に窓ガラスに着色ガラスが用いられている場合には、そのまま窓ガラスを可視手段として利用できる。
【図面の簡単な説明】
【００５８】
【図１】本発明の第１実施形態に係る表示装置の構成図である。
【図２】本実施形態に係る情報表示の一例を示す図である。
【図３】本実施形態に係る色眼鏡による光の遮断の様子を示す図であり、（ａ）は遮断前の光のスペクトルを示し、（ｂ）は遮断後の光のスペクトルを示している。
【図４】本実施形態に係る表示装置の使用状態を示す図である。
【図５】本実施形態に係る表示装置の第２の使用状態を示す図である。
【図６】本実施形態に係る表示装置の動作の一例を示すフローチャートである。
【符号の説明】
【００５９】
１，２…表示装置
１０…映像ソース部
１１…映像データ部
１２…投射光生成部
１２ａ…補完化処理部
１２ｂ…第１補正部
１２ｃ…第２補正部
２０…第１プロジェクタ（第１投射手段）
３０…スクリーン
４０…第２プロジェクタ（第２投射手段）
５０…色眼鏡（可視手段）
６０…偏光眼鏡（可視手段）
Ｈ１，Ｈ２…利用者
【図１】
2007163674.tif 000003
【図２】
2007163674.tif 000004
【図３】
2007163674.tif 000005
【図４】
2007163674.tif 000006
【図５】
2007163674.tif 000007
【図６】
2007163674.tif 000008